(57)【要約】【課題】  ユーザーに電界強度の選択操作を行わせずとも対電界性能改善を可能とする受信装置を提供する。【解決手段】  ＲＦ信号が入力されＲＦ信号の減衰信号を出力するアッテネータと、前記アッテネータから出力される前記減衰信号が入力されこの減衰信号の増幅信号を出力する増幅手段と、前記増幅信号が入力されＡＧＣ制御信号を出力するチューナとを備え、前記アッテネータは前記ＡＧＣ制御信号を用いてＲＦ信号の最大入力レベルに対処することを特徴とする受信装置。【選択図】      図１
2008244837.tif 000002
【特許請求の範囲】
【請求項１】
ＲＦ信号が入力されＲＦ信号の減衰信号を出力するアッテネータと、
前記アッテネータから出力される前記減衰信号が入力されこの減衰信号の増幅信号を出力する増幅手段と、
前記増幅信号が入力されＡＧＣ制御信号を出力するチューナとを備え、
前記アッテネータは前記ＡＧＣ制御信号を用いてＲＦ信号の最大入力レベルに対処することを特徴とする受信装置。
【請求項２】
ＲＦ信号が入力されＲＦ信号の減衰信号を出力するアッテネータと、
前記アッテネータから出力される前記減衰信号が入力されこの減衰信号の増幅信号を出力する増幅手段と、
前記増幅信号が入力されＩＦ信号を出力するチューナと、
前記チューナが出力する前記ＩＦ信号が入力されＡＧＣ制御信号を出力するバックエンドとを備え、
前記アッテネータは前記ＡＧＣ制御信号を用いてＲＦ信号の最大入力レベルに対処することを特徴とする受信装置。
【請求項３】
ＲＦ信号が入力されＲＦ信号の減衰信号を出力するアッテネータと、
前記アッテネータから出力される前記減衰信号が入力されこの減衰信号の第１の増幅信号を出力する第１の増幅手段と、
前記第１の増幅信号が入力され第１のＩＦ信号を出力するアナログチューナと、
前記アナログチューナが出力する前記第１のＩＦ信号が入力され第１のＡＧＣ制御信号を出力するアナログバックエンドと、
前記アッテネータから出力される前記減衰信号が入力されこの減衰信号の第２の増幅信号を出力する第２の増幅手段と、
前記第２の増幅信号が入力され第２のＩＦ信号を出力するデジタルチューナと、
前記デジタルチューナが出力する前記第２のＩＦ信号が入力され第２のＡＧＣ制御信号を出力するデジタルバックエンドとを備え、
前記アッテネータは前記第１のＡＧＣ制御信号および第２のＡＧＣ制御信号を用いてＲＦ信号の最大入力レベルに対処することを特徴とする受信装置。
【発明の詳細な説明】
【技術分野】
【０００１】
本発明は、受信装置に係り、特にデジタル放送受信機のＲＦ信号の最大入力性能改善技術に関する。
【背景技術】
【０００２】
ＲＦ(Radio Frequency)信号のチューナ単体での最大入力レベルは、内臓のLNA(Low Noise Amplifier)のリニアリティーに依存するところが大きく、メーカーの機器によってはリニアリティーの低いLNAを採用していて、最大入力時(デジタル&アナログ放送波の合算)に歪んでしまい受信できない状況になる場合がある。
【０００３】
尚、一つの現状の対処法としてアナログチューナ入力部にATT（アッテネータ）を設けたものはあるが、ユーザーの選択作業が必要になっている。
関連して、ユーザーの都度の選択作業に代わりユーザーの選択作業によりプリセットを行うものが提案されている。例えば特開平７−３８８１９号公報（特許文献１）によるものは、親画面用チューナに選局周波数（選局チャンネル）をプリセットする場合にそれぞれの選局周波数の電界強度に応じてアッテネータ手段のＯＮまたはＯＦＦの情報を入力しておくというものであった。即ち、ユーザーが一度全てのチャネルを確認してＯＮ／ＯＦＦを選局チャンネル毎にプリセットするというもので、作業が煩わしく更にプリセットデータの喪失への対処や電波環境の変化への追従に問題があった。
【特許文献１】特開平７−３８８１９号公報（第６頁、図１）
【発明の開示】
【発明が解決しようとする課題】
【０００４】
本発明は、ユーザーに電界強度の選択操作を行わせずとも対電界性能改善を可能とする受信装置を提供することを目的とする。
【課題を解決するための手段】
【０００５】
上記課題を解決するために、本発明の受信装置は、ＲＦ信号が入力されＲＦ信号の減衰信号を出力するアッテネータと、前記アッテネータから出力される前記減衰信号が入力されこの減衰信号の増幅信号を出力する増幅手段と、前記増幅信号が入力されＡＧＣ制御信号を出力するチューナとを備え、前記アッテネータは前記ＡＧＣ制御信号を用いてＲＦ信号の最大入力レベルに対処することを特徴とする。
【発明の効果】
【０００６】
本発明によれば、ユーザーに電界強度の選択操作を行わせずとも対電界性能改善を可能とする受信装置が得られる。
【発明を実施するための最良の形態】
【０００７】
以下、本発明の実施例を説明する。
【実施例１】
【０００８】
本発明による受信装置の実施例１を図１乃至図２を参照して説明する。
図１は、受信装置の構成説明図である。本受信装置は、図１に示されるようにステップＡＴＴ１０１と増幅手段１０２とチューナ１０３と復調ＩＣ１０４と制御手段１０５とを構成要素に有する。
【０００９】
ステップＡＴＴ１０１はアッテネータの一種で、例えば入力電圧レベルに応じて入力信号から出力信号を生じるときの減衰の度合いを段階的に変化させる機能を有する。ここでは入力信号として外部のアンテナ等から導かれるＲＦ信号を用いる。
【００１０】
一般にＬＮＡ（Low Noise Amplifier）により構成される増幅手段１０２は、ＡＴＴ１０１で減衰されたＲＦ信号を増幅して次のチューナ１０３へ渡し、チューナ１０３はこの増幅された信号を受け取り、中間周波数（ＩＦ）信号を出力する。この中間周波数信号はチューナに対してバックエンドと呼ばれる復調ＩＣ１０４に入力され復調されるよう構成されている。前段にＬＮＡを用いることにより、雑音指数（Noise Figure）の低減効果を持たせるようにしている。
【００１１】
制御手段１０５は、ＡＴＴ１０１の減衰の度合いを制御するための手段で、一般にＡＧＣ（Automatic Gain Control）により制御を行うが、ここでは制御の指令方法として幾通りもある構成を示している。即ち、チューナ１０３からＲＦ信号レベルに基づくＲＦＡＧＣを行うこともでき、復調ＩＣ１０４からＩＦ信号レベルに基づくＲＦＡＧＣを行うこともでき、復調ＩＣ１０４からチューナ１０３に対してＩＦ信号レベルに基づくＲＦ／ＩＦＡＧＣを行うこともでき、それらを組み合わせてもよい。
【００１２】
例えば一つステップＡＴＴ１０１には、チューナがRFAGC電圧をモニターして、制御を行うようにする。
例えば、RFAGC＝3VでGR(Gain Reduction)量最大、RFAGC＝0VでGR量最小になるようなAGCを構成した場合、RFAGCが2.5V以上になったときに、初めてステップＡＴＴ１０１を動作させてGRを掛けるようにする。
【００１３】
ステップＡＴＴ１０１が動作すると、RFAGCの電圧は2.5V以下になる。このときはステップＡＴＴ１０１の制御はそのままの状態を維持しておく。この状態を解除するには、RFAGC電圧が0.5v以下になったときに初めて、ステップＡＴＴ１０１のGRを解除するような制御を行う、制御回路を具備すればよい。
【００１４】
図２は、ステップＡＴＴ１０１の入出力特性の概略説明図である。出力を上記モニタ電圧に対して線形に変化するようにする構成もあり得るが、図２は他の構成の一例である。縦軸はモニタ電圧であり、横軸はGR量であり０からMAXGR（最大）を示しているが、この横軸を不連続量とするとステップ動作に相当する。
【実施例２】
【００１５】
本発明による受信装置の実施例２を図３を参照して説明する。実施例１と同一符号の部分は実施例１と同様の部分であり説明を省略する。図３は構成説明図である。
本実施例は、復調ＩＣ１０４から直接ステップＡＴＴ１０１をコントロールする場合のものである。この場合、RFAGC、IFAGCのモニターを、バックエンドで行い、その結果から、on/offのコントロールを行う。
【００１６】
例えば、RF、IFのGR量を全て使ってしまう前に、ステップＡＴＴ１０１を動作させて、解除するときは、RF,IFのGRを全く使わなくなる前に、ステップＡＴＴ１０１の動作を止めるように、制御を行う。
【００１７】
制御手段１０６は実施例１の制御手段１０５と類似のものであるが、復調ＩＣ１０４から直接ステップＡＴＴ１０１をコントロールするに当たり、方法として電圧、IIC等が考えられる。例としてＩＩＣインタフェース方式により制御を行う場合、復調ＩＣ１０４からシリアルバスによって指令を受ける構成となっている。
【００１８】
復調ＩＣ１０４がマスタデバイスであり、制御手段１０６がスレーブデバイスの一つであり、ステップＡＴＴ１０１をコントロールするための通信内容を受け取る。
【実施例３】
【００１９】
本発明による受信装置の実施例３を図４を参照して説明する。実施例１、２と同一符号の部分は実施例１、２と同様の部分であり説明を省略する。図４の破線で囲んだ部分である分配器２０１に実施例１に相当するステップＡＴＴ１０１を適用したものである。分配器２０１は制御手段１０７に制御される増幅手段１０８と増幅手段１０９とを含んでいる。
【００２０】
増幅手段１０９の出力はアナログチューナ１１０へ導かれ、アナログチューナ１１０の出力はアナログ復調器１１１に入力されるよう構成されている。制御手段１０７はこのアナログ復調器１１１からもＲＦＡＧＣの指令を受けるようになっている。
【実施例４】
【００２１】
本発明による受信装置の実施例４を図５を参照して説明する。実施例１、２と同一符号の部分は実施例１、２と同様の部分であり説明を省略する。図５では、デジアナチューナ、もしくはシリコンチューナ１１２を用いている。デジアナチューナであるチューナ１１２は、アナログ復調器１１３とデジタル復調ＩＣ１１４とを後段に備えている。
【００２２】
これらの実施例では、現状チューナの入力部にステップATTとAMPを追加し、最大入力レベルに対応するようにした。そのコントロールは、RFAGCの電圧を使用する。もしくはバックエンドから制御を受け、自動的に強電界に対応する。
【００２３】
チューナ入力部に、ステップATTとAMPを追加し、尚且つそのコントロールを自動的に行うようにすることにより強電界受信時でも、ユーザーに操作を強要するのではなく、自動で強電界、弱電界の受信判断を行うものである。
【００２４】
効果としては、強電界性能改善、弱電界性能改善、操作性改善がある。
１．ATT挿入により強電界受信限界が改善される。
２．LNAを追加しているので、弱電界受信限界が改善される。
３．自動で、強電界、弱電界の切り替えを行うことで、ユーザーには意識させないで、受信改善が行える。
【図面の簡単な説明】
【００２５】
【図１】本発明による受信装置の実施例１の構成説明図。
【図２】受信装置の実施例１のステップＡＴＴ１０１の入出力特性の概略説明図。
【図３】本発明による受信装置の実施例２の構成説明図。
【図４】本発明による受信装置の実施例３の構成説明図。
【図５】本発明による受信装置の実施例４の構成説明図。
【符号の説明】
【００２６】
１０１  ステップＡＴＴ
１０２  増幅手段
１０３  チューナ
１０４  復調ＩＣ
１０５  制御手段
１０６  制御手段
１０７  制御手段
１０８  増幅手段
１０９  増幅手段
１１０  アナログチューナ
１１１  アナログ復調器
１１２  チューナ
１１３  アナログ復調器
１１４  デジタル復調ＩＣ
２０１  分配器
【図１】
2008244837.tif 000003
【図２】
2008244837.tif 000004
【図３】
2008244837.tif 000005
【図４】
2008244837.tif 000006
【図５】
2008244837.tif 000007